(57)【要約】【課題】  ＰＣＢ等有害物質を含む廃棄物、トランス、コンデンサー等重量物をすみやかに有害物質が漏出しないよう梱包し、そのまま保管・運搬できる簡便な容器を提供する。【解決手段】  外袋と内袋の二重構造になった収納袋で、内袋は有害物質が漏洩しないようなプラスチック又は異なった種類のプラスチックあるいはプラスチックと金属箔をラミネートした材料で作られており、外袋はそれを保護するような丈夫な布製の袋となっている。内袋の中底には重量物を受けて支えるための厚い底板がいれてあり、重量物を入れた後内袋の上部を畳んで密封し、固定バンドで底板と重量物を一体化する。外袋はほぼ内容物の高さまでは厚手の丈夫な布製で、それに続けてそれより上は折り畳んで口を縛ることのできる柔らかめの布で作ってある。物を入れて外袋の口を縛った後、全体を吊り上げることができるように外袋の裏底に吊ベルトが十文字に固定してあって外袋の外側面に沿って吊ベルトは立ち上がり袋の上でループを形成させてある。【選択図】図１
0003126761.tif 000002
【実用新案登録請求の範囲】
【請求項１】
一辺約５０ｃｍの四角い底面の四周辺から高さ１２０ｃｍ程立ち上げ、上面は開いている二重の袋で、外袋は底面及び側面の高さ８０ｃｍ程までは厚手の丈夫な布製で、それに繋がるそれより上の８０ｃｍから１２０ｃｍの間の側面は折り畳むことができる柔らかい布で作られており、その外袋の内側に内接するように、プラスチックフィルム製の高さ１２０ｃｍ程の内袋がセットされており、その内袋の底には厚さ約３ｃｍの底板が敷き入れてあり、その内袋に物を入れたとき内袋の上部を折り畳んで密閉すると同時に下の底板と入れた物を一体化して固定するための固定用ベルトが内袋の裏底に数条取りつけてあり、内袋が固定された後、外袋上部の口を閉じて縛り、最後に全体を吊り上げることのできるように、外袋の裏底に吊ベルトが十文字に固定してあって、外袋の外側面に沿ってベルトは立ち上がり、袋の上でループを形成しており、クレーン等で吊上げられるようになっていることを特徴とする有害物質保管・運搬用収納袋。
【請求項２】
内袋が有害物質を通さないプラスチックフィルム，あるいは異なった種類のプラスチックまたはプラスチックと金属箔のラミネートフィルムで作られていることを特徴とする請求項１記載の有害物質保管・運搬用収納袋。
【請求項３】
有害物質保管・運搬用収納袋の収納容器として、蓋をパッキングとボルトで密閉固定できる金属製の一回り大きな箱と組み合わせて使用することを特徴とする請求項１記載の有害物質保管・運搬用収納袋。
【考案の詳細な説明】
【技術分野】
【０００１】  有害物質、例えばＰＣＢを含有する廃棄物等から有害物質を漏出させないで保管・運搬する袋に関する。
【背景技術】
【０００２】  有害物質、例えばＰＣＢを含有する廃棄物等は有害物質が環境に飛散しないよう厳重に保管することが義務付けられているが、現在まだ有害物質を含む大量のトランス、コンデンサー等が存在し、年が経つにつれそれら容器が腐食し、液が漏洩したりして環境を汚染する危険性がある。【０００３】  それら廃棄物は液が漏洩しないよう確実に密閉できる容器に保管し、いずれしかるべき処理施設に運搬し、無害化処理をしなければならないが、それには莫大な費用が掛かり、費用的な負担が困難な中小の一般企業の場合、ほとんど手を打たずにそのまま放置しているのが現状である。【０００４】  有害物質を含む廃棄物の取り扱いに関する国の基準はドラム缶等の容器に収納し運搬が行われるのが望ましいとあるのみで、明確な規定が無い。【０００５】  そのような問題に対し安価に、有害物質を含む廃棄物を収集・運搬するに当たり、二重フィルム等を使用した袋状のもので、底を板で補強した「廃化学物質類・有害廃棄物質等の梱包方法」（特開２００４−１８０４３）として提案されているが密封性あるいは、運搬容器への収納方法等については具体的な説明が無く明らかではない。
【考案の開示】
【考案が解決しようとする課題】
【０００６】  ＰＣＢ等有害物質を含む廃棄物はトランス、コンデンサー等重量物が多い。それら廃棄物を保管・運搬するに当たり、可能な限り危険を回避するためには、それら廃棄物をすみやかに有害物質が漏出しないよう梱包し、そのまま保管・運搬できる簡便な容器が求められている。更に必要に応じてはその梱包をそのまま金属製密閉容器に簡単に移設できることが望ましい。更に現在有害廃棄物を保有している事業者に貧しい中小企業が多いことを考えると、保管・運搬用容器はできるだけ安価でなければならない。
【課題を解決するための手段】
【０００７】    本考案は上記問題に鑑みてなされたものであり、まず有害物質を含むトランス等の廃棄物を梱包収納するものとして、一辺５０ｃｍ程の底面の四周辺から高さ１２０ｃｍ程立ち上がって上面は開いている外袋とその内側に内接するやはり高さは１２０ｃｍ程の内袋からなる収納袋を使用する。【０００８】  廃棄物が重量物であるためこの収納袋は丈夫でかつ有害物質が漏洩しない構造・材料でなければならず、かつこれを容易に移設させることのできる工夫が必要である。外袋の材料としては丈夫な布を縫い合わせたもので、底には重量物を載せて運搬するのに差し支えないように厚さ３ｃｍ程の底板をいれる。【０００９】  収納袋全体の底から側面にかけてこれを吊り上げるための吊ベルトが外袋の裏側に十文字に固定してある。外袋は底から側面の約８０ｃｍまでは丈夫な布で、その上には折り畳むことのできる少し柔らかめの布が続けて縫い付けてある。【００１０】  外袋に内包している内袋は有害物質を通さないプラスチックフィルム、あるいは異なった種類のプラスチックまたはプラスチックと金属箔とのラミネートフィルムで製作する。前出の底板はこの内袋に入れて使用しても良い。【００１１】  トランス等の有害物質を含む廃棄物をまず内袋に入れ、内袋の上部を折り畳んで封をし、内袋を包み込むように底板と廃棄物をバンドで固定し、外袋の上部の柔らかい部分の口を閉じてしっかり縛る。その上で吊ベルトをクレーン等に掛け収納袋を吊り上げ移設する。必要に応じては別に用意してある金属製の密閉収納容器入れ蓋をしてボルト締めする。
【考案の効果】
【００１２】  以上述べてきたように、本考案の有害物質の保管運搬用収納袋によれば、まず簡便にトランス、コンデンサーのような重量のある有害物質含有廃棄物を保管・運搬し易い形に梱包・収納することができる。更に厳密な管理をするために金属製の密閉容器に移設する場合も有害物質を撒き散らすことなく吊ベルトをクレーンで吊り上げて作業できるので、作業の安全性が確保できる。
【考案を実施するための最良の形態】
【００１３】  外袋と内袋の二重構造になった収納袋で、有害物質を含むトランス等の廃棄物を梱包・保管・運搬するために内袋は有害物質が漏洩しないようなプラスチック又は異なった種類のプラスチックあるいはプラスチックと金属箔をラミネートした材料で作られており、外袋はそれを保護するような丈夫な布製の袋となっている。サイズに関してはその収容物に合わせた任意のものを作ることができる。【００１４】  内袋の中底には重量物を受けて支えるための厚い底板がいれてあり、重量物を入れた後内袋の上部を畳んで密封し、底板と重量物を一体化するが、一体化するために掛けるバンドは予め内袋の裏底に数条取り付けてある。【００１５】  外袋はほぼ内容物の高さまでは厚手の丈夫な布製でそれに続けてそれより上は折り畳んで口を縛ることのできる柔らかめの布で作ってある。縛り紐は予め外袋上部に縫い付けておく。【００１６】  物を入れて外袋の口を縛った後、収納袋全体を吊り上げることができるように外袋の裏底に吊ベルトが十文字に固定してあって、外袋の外側面に沿って吊ベルトは立ち上がり袋の上でループを形成している。【００１７】  上述の有害物質の保管運搬用収納袋の機能をより確実なものとするために収納容器として、金属製で蓋をパッキングとボルトで密閉固定できる一回り大きな箱を用意し、収納袋の吊ベルトをクレーンで吊り上げて、収納袋をその中に入れて蓋をし、密閉するようにしても良い。
【実施例】
【００１８】  本考案の有害物質の保管運搬用収納袋の実施例を図面に基づいて説明すると、図１は全体を示す斜視図であり、底面１は一辺５０ｃｍ程の四角い形をしており、底面の四周辺から側面が立ち上がって、上面が開いた高さ１２０ｃｍ程の四角柱状の袋を形成している。袋は外袋２と内袋３から構成されており、さらに外袋２は底面１と底から高さ８０ｃｍ程の高さまでの側面を合わせた外袋下部２−１と８０ｃｍから１２０ｃｍの間の外袋上部２−２からなっている。【００１９】  外袋は布製で、外袋下部２−１は厚手の丈夫な１５００番のＰＰクロス、外袋上部２−２は折り畳み易い１０００番のＰＰクロスからできている。物を入れた後全体を吊り上げることのできるよう外袋の裏底に十文字に７０ｍｍ幅のＰＰ製吊ベルト４が縫い付けてあり、外袋下部２−１の外側面に沿って立ち上がり、その上でループ５を形成している。【００２０】  外袋下部２−１の上端部近くには吊ベルトをクレーン等で引っ掛け収納袋を吊り上げるとき、袋が四角い形状を保持し易いように硬鋼線の枠６を取り付けておく場合もある。【００２１】  図２は内袋３を示す斜視図で、前述の外袋２に内接させて使用する。０．１ｍｍ厚のＰＥクロスフィルムでできている。内袋の底には合板製の厚さ３ｃｍの底板７が入れてあり、トランス等重量のある内容物をこの内袋の中に入れ、底板の上に載せた後、この内袋の上部を折り畳んで密封し、内袋全体を包むように内容物と底板を一体化するために、この内袋の裏底に幅２５ｍｍのＰＰ製の固定用ベルト８が取り付けてある。【００２２】  内容物を内袋に入れ内袋上部を折り畳んで密封し、固定用ベルトで内袋全体を包むように底板と内容物を固定した後、外袋上部を絞って外袋上部に縫い付けてあった縛り紐９で袋の口を縛り、吊ベルトのループ５で吊り上げる状態になったものが図３に示してある。【００２３】  図４は上述の収納袋をすっぽり入れて密閉保管できる金属製の収納容器を示す斜視図で、容器本体１０と蓋１１はパッキングを挟んでボルト１２で締め付けて固定するようになっており、四隅には取り外し可能な吊り下げ用アイボルト１３が取り付けてある。
【産業上の利用可能性】
【００２４】  以上説明したように、本考案の有害物質保管・運搬用収納袋によれば、有害物質を含むトランス等重量物を容易に密封して移設できるので、有害物質を扱う作業者の安全のためにも、環境汚染防止の立場からも有効である。また材料が布やプラスチックフィルムであるため製品は廉価に提供できる。
【図面の簡単な説明】
【００２５】
【図１】収納袋全体を示す斜視図。
【図２】内袋全体を示す斜視図。
【図３】収納袋を閉じて吊り上げる状態を示す斜視図。
【図４】金属製収納容器を示す斜視図。
【符号の説明】
【００２６】  １  底面，
２  外袋，
２−１  外袋下部，
２−２  外袋上部，
３  内袋，
４  吊ベルト，
５  吊ベルトループ，
６  硬鋼線の枠，
７  底板，
８  固定用ベルト，
９  縛り紐，
１０  収納容器本体，
１１  蓋，
１２  固定ボルト，
１３  吊り下げ用アイボルト，
【図１】
0003126761.tif 000003
【図２】
0003126761.tif 000004
【図３】
0003126761.tif 000005
【図４】
0003126761.tif 000006